(57)【要約】【課題】３つの信号経路の各において順方向と逆方向とをモニタ可能であり、順方向信号に対する方向性と逆方向信号に対する方向性とが両方とも良好な双方向性結合器を提供する。【解決手段】双方向性結合器１は、多層基板１０と、多層基板１０に設けられた第１主線路２１、第２主線路３１、第３主線路４１および副線路５１と、を備え、副線路５１は、第１線路部５１１と、偶数個の第２線路部５１２ａ、５１２ｂと、偶数個の第３線路部５１３ａ、５１３ｂとを有し、第２線路部５１２ａは、第１線路部５１１と副線路５１の一方端ＲＥＶとの間に設けられ、第２線路部５１２ｂは、第１線路部５１１と副線路５１の他方端ＦＷＤとの間に設けられ、第３線路部５１３ｂは、第２線路部５１２ａと副線路５１の一方端ＲＥＶとの間に設けられ、第３線路部５１３ａは、第２線路部５１２ｂと副線路５１の他方端ＦＷＤとの間に設けられている。【選択図】図１
2018207473.tif 000002
【特許請求の範囲】
【請求項１】
多層基板と、
前記多層基板に設けられた第１主線路、第２主線路、第３主線路、および副線路と、を備え、
前記副線路は、前記第１主線路と電磁界結合する部分である第１線路部と、前記第２主線路と電磁界結合する部分である偶数個の第２線路部と、前記第３主線路と電磁界結合する部分である偶数個の第３線路部とを有し、
前記偶数個の第２線路部のうちの半数は、前記第１線路部と前記副線路の一方端との間に設けられ、前記偶数個の第２線路部のうちの他の半数は、前記第１線路部と前記副線路の他方端との間に設けられ、
前記偶数個の第３線路部のうちの半数は、前記第２線路部の前記半数と前記副線路の一方端との間に設けられ、前記偶数個の第３線路部のうちの他の半数は、前記第２線路部の前記他の半数と前記副線路の他方端との間に設けられている、
双方向性結合器。
【請求項２】
前記第１線路部は、１対の第１線路部を含む、
請求項１に記載の双方向性結合器。
【請求項３】
前記副線路の電気長での中点と前記１対の第１線路部のうちの一方との間の電気長と、前記中点と前記１対の第１線路部のうちの他方との間の電気長とは、略等しい、
請求項２に記載の双方向性結合器。
【請求項４】
前記偶数個の第２線路部は１対の第２線路部であり、
前記副線路の電気長での中点と前記１対の第２線路部のうちの一方との間の電気長と、前記中点と前記１対の第２線路部のうちの他方との間の電気長とは、略等しい、
請求項１から３のいずれか１項に記載の双方向性結合器。
【請求項５】
前記偶数個の第３線路部は１対の第３線路部であり、
前記副線路の電気長での中点と前記１対の第３線路部のうちの一方との間の電気長と、前記中点と前記１対の第３線路部のうちの他方との間の電気長とは、略等しい、
請求項１から４のいずれか１項に記載の双方向性結合器。
【請求項６】
前記偶数個の第２線路部は１対の第２線路部であり、
前記多層基板上の直線を挟んだ第１領域と第２領域とにおいて、前記副線路は前記直線を対称軸として線対称の形状に設けられ、前記１対の第２線路部の一方と他方とは、前記線対称での対応位置にある、
請求項１から５のいずれか１項に記載の双方向性結合器。
【請求項７】
前記偶数個の第３線路部は１対の第３線路部であり、
前記多層基板上の直線を挟んだ第１領域と第２領域とにおいて、前記副線路は前記直線を対称軸として線対称の形状に設けられ、前記１対の第３線路部の一方と他方とは、前記線対称での対応位置にある、
請求項１から６のいずれか１項に記載の双方向性結合器。
【請求項８】
前記多層基板上の直線を挟んだ第１領域と第２領域とにおいて、前記副線路は前記直線を対称軸として線対称の形状に設けられ、前記１対の第１線路部の一方と他方とは、前記線対称での対応位置にある、
請求項２または３に記載の双方向性結合器。
【請求項９】
前記１対の第１線路部の一方と他方とが、インダクタで接続されている、
請求項２、３または８に記載の双方向性結合器。
【請求項１０】
前記副線路の前記第１線路部での幅、前記第２線路部での幅、および、前記第３線路部での幅のうち少なくとも１つの幅が異なっている、
請求項１から９のいずれか１項に記載の双方向性結合器。
【請求項１１】
請求項１から８のいずれか１項に記載の双方向性結合器を有するモニタ回路。
【請求項１２】
請求項１１に記載のモニタ回路と、
前記モニタ回路に接続されたアンテナ端子と、
前記モニタ回路に接続されたフィルタと、
を備えるフロントエンド回路。
【発明の詳細な説明】
【技術分野】
【０００１】
本発明は、双方向性結合器、モニタ回路およびフロントエンド回路に関する。
【背景技術】
【０００２】
従来、周波数帯域が異なる複数の高周波信号を処理する方向性結合器が知られている（例えば、特許文献１）。
【０００３】
図１８は、特許文献１に開示される方向性結合器の構成の一例を示す斜視図である。なお、以下で用いる構成要素名および参照符号は、説明の便宜上、特許文献１のものとは異なる場合がある。
【０００４】
図１８の方向性結合器９は、第１主線路９１、第２主線路９２、第１副線路９３、第２副線路９４、およびグランド９６を備える。
【０００５】
第１主線路９１と第２主線路９２とは、グランド９６を介して配置されている。第１副線路９３と第２副線路９４とは、グランド９６を介して配置されるとともに、第１主線路９１および第２主線路９２とそれぞれ結合する。第１副線路９３および第２副線路９４は、互いの一端同士が接続されて１本の副線路９５を構成している。
【０００６】
第１主線路９１の一方端および他方端は、入力ポートＰ１および出力ポートＰ２を構成し、第２主線路９２の一方端および他方端は、入力ポートＰ３および出力ポートＰ４を構成している。副線路９５の一方端および他方端は、結合ポートＰ５およびアイソレーションポートＰ６を構成している。
【０００７】
方向性結合器９は、一例として、周波数帯域が異なる２つの送信信号を処理するデュアルバンド対応の携帯電話端末に設けられ、送信信号の強度のモニタに用いられる。
【０００８】
具体的に、２つの送信信号の一方および他方は、入力ポートＰ１、Ｐ３へそれぞれ供給され、第１主線路９１、第２主線路９２を伝搬して、出力ポートＰ２、Ｐ４からアンテナへ供給される。送信信号の強度に応じた第１のモニタ信号が、結合ポートＰ５から取り出される。第１のモニタ信号は、例えば、送信電力のフィードバック制御に用いられる。
【先行技術文献】
【特許文献】
【０００９】
【特許文献１】特開２００２−１００９０９号公報
【発明の概要】
【発明が解決しようとする課題】
【００１０】
近年、方向性結合器には、順方向信号と逆方向信号の両方をモニタする双方向性結合器が求められている。ここで、順方向信号とは、主線路を入力ポートから出力ポートへ向かって伝搬する信号を言い、逆方向信号とは、主線路を出力ポートから入力ポートへ向かって伝搬する信号を言う。
【００１１】
双方向性結合器の基本的な構成は、４ポートの方向性結合器と等しい。したがって、特許文献１では言及されていないが、方向性結合器９でも、第１主線路９１および第２主線路９２を伝搬する逆方向信号（例えば、アンテナからの反射波）の強度に応じた第２のモニタ信号をアイソレーションポートＰ６から取り出すことはできる。
【００１２】
しかしながら、方向性結合器９を双方向性結合器として使用した場合、方向性結合器９の順方向信号に対する方向性と逆方向信号に対する方向性とは異なる。そのため、方向性結合器９を双方向性結合器として使用した場合、順方向信号に対する方向性と逆方向信号に対する方向性とが揃わず、順方向信号の方向性と逆方向信号の方向性が同等でないという問題が生じる。
【００１３】
そこで、本発明は、３つの信号線路の各々において順方向信号と逆方向信号とをモニタ可能であり、順方向信号に対する方向性と逆方向信号に対する方向性とが両方とも良好な双方向性結合器を提供することを目的とする。
【課題を解決するための手段】
【００１４】
上記目的を達成するために、本発明の一態様に係る双方向性結合器は、多層基板と、前記多層基板に設けられた第１主線路、第２主線路、第３主線路、および副線路と、を備え、前記副線路は、前記第１主線路と電磁界結合する部分である第１線路部と、前記第２主線路と電磁界結合する部分である偶数個の第２線路部と、前記第３主線路と電磁界結合する部分である偶数個の第３線路部とを有し、前記偶数個の第２線路部のうちの半数は、前記第１線路部と前記副線路の一方端との間に設けられ、前記偶数個の第２線路部のうちの他の半数は、前記第１線路部と前記副線路の他方端との間に設けられ、前記偶数個の第３線路部のうちの半数は、前記第２線路部の前記半数と前記副線路の一方端との間に設けられ、前記偶数個の第３線路部のうちの他の半数は、前記第２線路部の前記他の半数と前記副線路の他方端との間に設けられている。
【００１５】
この構成によれば、第１主線路との結合部である副線路の第１線路部の両側に、副線路の第２主線路との結合部である第２線路部を同数設けている。そのため、副線路上において、第１主線路との結合部を中心として、第２主線路との結合部を対称に配置することができる。また、副線路の第２主線路との結合部である第２線路部の両側に、副線路の第３主線路との結合部である第３線路部を設けている。そのため、副線路上において、第２主線路との結合部を中心として、第３主線路との結合部を対称に配置することができる。結合部をこのように配置することによって、第１主線路から副線路の一方端および他方端までの電気的特性を揃え、また第２主線路から副線路の一方端および他方端までの電気的特性を揃え、また第３主線路から副線路の一方端および他方端までの電気的特性を揃えることができる。
【００１６】
これにより、順方向信号に対応する第１のモニタ信号の方向性および逆方向信号に対応する第２のモニタ信号の方向性を両方とも向上することが可能になる。その結果、順方向信号に対する方向性と逆方向信号に対する方向性とが両方とも改善された双方向性結合器が得られる。
【００１７】
また、前記第１線路部は、１対の第１線路部を含んでもよい。
【００１８】
この構成によれば、第１線路部を分割して配置することができるので、副線路のレイアウトの自由度が高まる。
【００１９】
また、前記副線路の電気長での中点と前記１対の第１線路部のうちの一方との間の電気長と、前記中点と前記１対の第１線路部のうちの他方との間の電気長とは、略等しくてもよい。
【００２０】
この構成によれば、副線路の第１主線路との結合部が、副線路上の電気長での対称位置に配置されるので、第１主線路から副線路の一方端および他方端までの電気的特性を、より正確に揃えることができる。その結果、順方向信号に対する方向性と逆方向信号に対する方向性とが、両方とも向上した双方向性結合器が得られる。
【００２１】
また、前記偶数個の第２線路部は１対の第２線路部であり、前記副線路の電気長での中点と前記１対の第２線路部のうちの一方との間の電気長と、前記中点と前記１対の第２線路部のうちの他方との間の電気長とは、略等しくてもよい。
【００２２】
この構成によれば、副線路の第２主線路との結合部が、副線路上の電気長での対称位置に配置されるので、第２主線路から副線路の一方端および他方端までの電気的特性を、より正確に揃えることができる。その結果、順方向信号に対する方向性と逆方向信号に対する方向性とが、両方とも向上した双方向性結合器が得られる。
【００２３】
また、前記偶数個の第３線路部は１対の第３線路部であり、前記副線路の電気長での中点と前記１対の第３線路部のうちの一方との間の電気長と、前記中点と前記１対の第３線路部のうちの他方との間の電気長とは、略等しくてもよい。
【００２４】
この構成によれば、副線路の第３主線路との結合部が、副線路上の電気長での対称位置に配置されるので、第３主線路から副線路の一方端および他方端までの電気的特性を、より正確に揃えることができる。その結果、順方向信号に対する方向性と逆方向信号に対する方向性とが、両方とも向上した双方向性結合器が得られる。
【００２５】
また、前記偶数個の第２線路部は１対の第２線路部であり、前記多層基板上の直線を挟んだ第１領域と第２領域とにおいて、前記副線路は前記直線を対称軸として線対称の形状に設けられ、前記１対の第２線路部の一方と他方とは、前記線対称での対応位置にあってもよい。
【００２６】
この構成によれば、副線路の形状の対称性に基づいて、第２主線路から副線路の一方端および他方端までの電気的特性を、より正確に揃えることができる。その結果、順方向信号に対する方向性と逆方向信号に対する方向性とが、両方とも向上した双方向性結合器が得られる。
【００２７】
また、前記偶数個の第３線路部は１対の第３線路部であり、前記多層基板上の直線を挟んだ第１領域と第２領域とにおいて、前記副線路は前記直線を対称軸として線対称の形状に設けられ、前記１対の第３線路部の一方と他方とは、前記線対称での対応位置にあってもよい。
【００２８】
この構成によれば、副線路の形状の対称性に基づいて、第３主線路から副線路の一方端および他方端までの電気的特性を、より正確に揃えることができる。その結果、順方向信号に対する方向性と逆方向信号に対する方向性とが、両方とも向上した双方向性結合器が得られる。
【００２９】
また、前記多層基板上の直線を挟んだ第１領域と第２領域とにおいて、前記副線路は前記直線を対称軸として線対称の形状に設けられ、前記１対の第１線路部の一方と他方とは、前記線対称での対応位置にあってもよい。
【００３０】
この構成によれば、副線路の形状の対称性に基づいて、第１主線路から副線路の一方端および他方端までの電気的特性を、より正確に揃えることができる。その結果、順方向信号に対する方向性と逆方向信号に対する方向性とが、両方とも向上した双方向性結合器が得られる。
【００３１】
また、前記１対の第１線路部の一方と他方とが、インダクタで接続されていてもよい。
【００３２】
この構成によれば、副線路の中点に直列にインダクタを挿入することができるので、双方向性結合器の方向性を向上できる。
【００３３】
また、前記副線路の前記第１線路部での幅、前記第２線路部での幅、および、前記第３線路部での幅のうち少なくとも１つの幅が異なっていてもよい。
【００３４】
この構成によれば、副線路の幅に応じて、副線路と第１主線路、第２主線路および第３主線路の各々との結合を最適化することができる。
【００３５】
本発明の一態様に係るモニタ回路は、前記双方向性結合器を有する。
【００３６】
この構成によれば、順方向信号に対する方向性と逆方向信号に対する方向性とが両方とも向上した双方向性結合器を用いることで、順方向信号および逆方向信号の双方を高い精度でモニタするモニタ回路が得られる。
【００３７】
本発明の一態様に係るフロントエンド回路は、前記モニタ回路と、前記モニタ回路に接続されたアンテナ端子と、前記モニタ回路に接続されたフィルタと、を備える。
【００３８】
この構成によれば、順方向信号に対する方向性と逆方向信号に対する方向性とが両方とも向上した双方向性結合器を有するモニタ回路を用いることで、例えば、送信電力のフィードバック制御およびアンテナのマッチング調整を含む各種の制御を高い精度で行う、高性能な通信装置を構成できる。
【発明の効果】
【００３９】
本発明に係る双方向性結合器によれば、３つの信号線路の各々において順方向信号と逆方向信号とをモニタ可能であり、順方向信号に対する方向性と逆方向信号に対する方向性とが両方とも良好な双方向性結合器が得られる。
【図面の簡単な説明】
【００４０】
【図１】実施の形態１に係る双方向性結合器の等価回路の一例を示す回路図
【図２】実施の形態１に係る双方向性結合器の等価回路の一例を示す回路図
【図３】実施の形態１に係る双方向性結合器の構造の一例を示す平面図
【図４Ａ】実施の形態１に係る双方向性結合器の構造の一例を示す断面図
【図４Ｂ】実施の形態１に係る双方向性結合器の構造の一例を示す断面図
【図４Ｃ】実施の形態１に係る双方向性結合器の構造の一例を示す断面図
【図５】実施の形態１に係る双方向性結合器の立体構造の一例を示す分解斜視図
【図６】実施の形態２に係る双方向性結合器の等価回路の一例を示す回路図
【図７】実施の形態２に係る双方向性結合器の構造の一例を示す平面図
【図８】実施の形態３に係る双方向性結合器の等価回路の一例を示す回路図
【図９】実施の形態３に係る双方向性結合器の構造の一例を示す平面図
【図１０】実施の形態４に係る双方向性結合器の等価回路の一例を示す回路図
【図１１】実施の形態４に係る双方向性結合器の構造の一例を示す平面図
【図１２】実施の形態５に係る双方向性結合器の構造の一例を示す平面図
【図１３】実施の形態６に係る双方向性結合器の等価回路の一例を示す回路図
【図１４】実施の形態６に係る双方向性結合器の構造の一例を示す平面図
【図１５】実施の形態７に係る方向性結合器を用いたモニタ回路の一例を示す回路図
【図１６】実施の形態８に係る通信装置の機能的な構成の一例を示すブロック図
【図１７】その他の形態に係る双方向性結合器の等価回路の一例を示す回路図
【図１８】従来例に係る方向性結合器の構造の一例を示す斜視図
【図１９】従来例に係る方向性結合器の等価回路の一例を示す回路図
【発明を実施するための形態】
【００４１】
（本発明の基礎となった知見）
図１８の方向性結合器９の順方向信号に対する方向性と逆方向信号に対する方向性とが異なる要因について考察する。
【００４２】
図１９は、方向性結合器９の等価回路の一例を示す回路図である。図１９では、理解のため、副線路９５を直線状に表すとともに、副線路９５の電気長での中点Ｍを示している。
【００４３】
図１９に示されるように、方向性結合器９において、第１主線路９１と第１副線路９３とは、副線路９５の中点ＭとアイソレーションポートＰ６との間のみで結合している。また、第２主線路９２と第２副線路９４とは、副線路９５の中点Ｍと結合ポートＰ５との間のみで結合している。つまり、副線路９５の第１主線路９１との結合部および第２主線路９２との結合部は、副線路９５上で非対称に配置されている。
【００４４】
そのため、第１主線路９１から副線路９５の結合ポートＰ５までの電気的特性と、第１主線路９１から副線路９５のアイソレーションポートＰ６までの電気的特性とは異なる。これにより、第１主線路９１を伝搬する順方向信号に対応する第１のモニタ信号と逆方向信号に対応する第２のモニタ信号とが、第１主線路９１からの電気的特性が異なる結合ポートＰ５とアイソレーションポートＰ６とからそれぞれ取り出されることになる。その結果、方向性結合器９の第１主線路９１を伝搬する順方向信号および逆方向信号に対する特性差が生じる。
【００４５】
第２主線路９２についても同様のことが成り立つので、方向性結合器９では第２主線路９２を伝搬する順方向信号および逆方向信号に対しても特性差が生じる。
【００４６】
このように、結合部の配置の非対称性が、方向性結合器９の順方向信号に対する方向性と逆方向信号に対する方向性とを異ならせている主因と考えられる。
【００４７】
本発明者は、この考察に基づき、鋭意検討の結果、３つの主線路を有し、いずれの主線路についても順方向信号に対する特性と逆方向信号に対する特性とが等しい双方向性結合器を考案するに至った。
【００４８】
当該双方向性結合器は、多層基板と、前記多層基板に設けられた第１主線路、第２主線路、第３主線路、および副線路と、を備え、前記副線路は、前記第１主線路と電磁界結合する部分である第１線路部と、前記第２主線路と電磁界結合する部分である偶数個の第２線路部と、前記第３主線路と電磁界結合する部分である偶数個の第３線路部とを有し、前記偶数個の第２線路部のうちの半数は、前記第１線路部と前記副線路の一方端との間に設けられ、前記偶数個の第２線路部のうちの他の半数は、前記第１線路部と前記副線路の他方端との間に設けられ、前記偶数個の第３線路部のうちの半数は、前記第２線路部の前記半数と前記副線路の一方端との間に設けられ、前記偶数個の第３線路部のうちの他の半数は、前記第２線路部の前記他の半数と前記副線路の他方端との間に設けられているものである。
【００４９】
以下、本発明の複数の実施の形態について、図面を用いて詳細に説明する。なお、以下で説明する実施の形態は、いずれも包括的又は具体的な例を示すものである。以下の実施の形態で示される数値、形状、材料、構成要素、構成要素の配置および接続形態などは、一例であり、本発明を限定する主旨ではない。以下の実施の形態における構成要素のうち、独立請求項に記載されていない構成要素については、任意の構成要素として説明される。また、図面に示される構成要素の大きさ又は大きさの比は、必ずしも厳密ではない。
【００５０】
（実施の形態１）
図１は、実施の形態１に係る双方向性結合器の等価回路の一例を示す回路図である。
【００５１】
図１に示されるように、双方向性結合器１は、第１主線路２１、第２主線路３１、第３主線路４１および副線路５１を備える。
【００５２】
第１主線路２１の一方端および他方端は、入力ポートＩＮ１および出力ポートＯＵＴ１を構成し、第２主線路３１の一方端および他方端は、入力ポートＩＮ２および出力ポートＯＵＴ２を構成し、第３主線路４１の一方端および他方端は、入力ポートＩＮ３および出力ポートＯＵＴ３を構成している。副線路５１の一方端および他方端は、フォワードポートＦＷＤおよびリバースポートＲＥＶを構成している。
【００５３】
副線路５１は、第１主線路２１と結合する部分である１対の第１線路部５１１ａ、５１１ｂと、第２主線路３１と結合する部分である１対の第２線路部５１２ａ、５１２ｂと、第３主線路４１と結合する部分である１対の第３線路部５１３ａ、５１３ｂとを有する。ここで、１対の第１線路部５１１ａ、５１１ｂは、偶数個の第１線路部の一例であり、１対の第２線路部５１２ａ、５１２ｂは、偶数個の第２線路部の一例であり、１対の第３線路部５１３ａ、５１３ｂは、偶数個の第３線路部の一例である。
【００５４】
第１線路部５１１ａは、リバースポートＲＥＶとフォワードポートＦＷＤとの間に設けられ、第１線路部５１１ｂは、第１線路部５１１ａとフォワードポートＦＷＤとの間に設けられている。なお、以下において、第１線路部５１１ａおよび５１１ｂをまとめて第１線路部５１１と呼ぶ場合がある。
【００５５】
第２線路部５１２ａは、副線路５１の第１線路部５１１とリバースポートＲＥＶとの間に設けられ、第２線路部５１２ｂは、副線路５１の第１線路部５１１とフォワードポートＦＷＤとの間に設けられている。第３線路部５１３ａは、副線路５１の第２線路部５１２ｂとフォワードポートＦＷＤとの間に設けられ、第３線路部５１３ｂは、副線路５１の第２線路部５１２ａとリバースポートＲＥＶとの間に設けられている。
【００５６】
１対の第１線路部５１１ａ、５１１ｂは、第１主線路２１と略同一方向に延設され、１対の第２線路部５１２ａ、５１２ｂは、第２主線路３１と略同一方向に延設され、１対の第３線路部５１３ａ、５１３ｂは、第３主線路４１と略同一方向に延設される。
【００５７】
図２は、図１の等価回路と同一の回路を表す回路図である。図２では、理解のため、副線路５１を直線状に表すとともに、副線路５１の電気長での中点Ｍを示している。第３主線路４１は、表記上、入力ポートＩＮ３側の半分区間と出力ポートＯＵＴ３側の半分区間とに分断されているが、実際にはＡ点同士で連続している。第２主線路３１は、表記上、入力ポートＩＮ２側の半分区間と出力ポートＯＵＴ２側の半分区間とに分断されているが、実際にはＢ点同士で連続している。第１主線路２１は、表記上、入力ポートＩＮ１側の一部区間と出力ポートＯＵＴ１側の一部区間とに分断されているが、実際にはＣ点同士で連続している。
【００５８】
図２から理解されるように、双方向性結合器１では、副線路５１の第１主線路２１との結合部が１対の第１線路部５１１ａ、５１１ｂで構成され、当該結合部の両側に、副線路５１の第２主線路３１との結合部である第２線路部５１２ａ、５１２ｂを設けている。そのため、副線路５１上において、第１主線路２１との結合部（第１線路部５１１ａ、５１１ｂ）を中心として、第２主線路３１との結合部（第２線路部５１２ａ、５１２ｂ）を対称に配置することができる。なお、「第１主線路２１との結合部を中心として」とは、第１主線路２１と結合する第１線路部５１１ａおよび第１線路部５１１ｂの中央に位置する中心線を基準とすることを意味する。
【００５９】
また、双方向性結合器１では、副線路５１の第２主線路３１との結合部が１対の第２線路部５１２ａ、５１２ｂで構成され、当該結合部の両側に、第３主線路４１との結合部である第３線路部５１３ａ、５１３ｂを設けている。そのため、副線路５１上において、第２主線路３１との結合部（第２線路部５１２ａ、５１２ｂ）を中心として、第３主線路４１との結合部（第３線路部５１３ａ、５１３ｂ）を対称に配置することができる。なお、「第２主線路３１との結合部を中心として」とは、第２主線路３１と結合する第２線路部５１２ａおよび第２線路部５１２ｂの中央に位置する中心線を基準とすることを意味する。
【００６０】
結合部をこのように配置することで、第１主線路２１からフォワードポートＦＷＤおよびリバースポートＲＥＶまでの電気的特性を揃え、第２主線路３１からフォワードポートＦＷＤおよびリバースポートＲＥＶまでの電気的特性を揃え、また、第３主線路４１からフォワードポートＦＷＤおよびリバースポートＲＥＶまでの電気的特性を揃えることができる。また第１線路部を分割して１対の第１線路部５１１ａ、５１１ｂとして配置するので、副線路５１の形状の自由度が高まる。
【００６１】
これにより、順方向信号に対応する第１のモニタ信号の方向性および逆方向信号に対応する第２のモニタ信号の方向性を両方とも向上することが可能になる。その結果、第１主線路２１、第２主線路３１および第３主線路４１のいずれについても、順方向信号に対する方向性と逆方向信号に対する方向性とが両方とも改善された双方向性結合器１が得られる。
【００６２】
なお、図２に示されるように、副線路５１における、中点Ｍと第１線路部５１１ａとの間の電気長Ｌ１ｂと、中点Ｍと第１線路部５１１ｂとの間の電気長Ｌ１ａとは、略等しくてもよい。また、中点Ｍと第２線路部５１２ａとの間の電気長Ｌ２ｂと、中点Ｍと第２線路部５１２ｂとの間の電気長Ｌ２ａとは、略等しくてもよい。また、中点Ｍと第３線路部５１３ａとの間の電気長Ｌ３ａと、中点Ｍと第３線路部５１３ｂとの間の電気長Ｌ３ｂとは、略等しくてもよい。なお、電気長Ｌ１ａと電気長Ｌ１ｂとが略等しいとは、例えば、電気長Ｌ１ａと電気長Ｌ１ｂとの差が、電気長Ｌ１ａおよび電気長Ｌ１ｂのうち一方の電気長の±１０％以内となる場合である。電気長Ｌ２ａと電気長Ｌ２ｂとが略等しいとは、例えば、電気長Ｌ２ａと電気長Ｌ２ｂとの差が、電気長Ｌ２ａおよび電気長Ｌ２ｂのうち一方の電気長の±１０％以内となる場合である。電気長Ｌ３ａと電気長Ｌ３ｂとが略等しいとは、例えば、電気長Ｌ３ａと電気長Ｌ３ｂとの差が、電気長Ｌ３ａおよび電気長Ｌ３ｂのうち一方の電気長の±１０％以内となる場合である。
【００６３】
これにより、副線路５１において、第１線路部５１１ａ、５１１ｂが、副線路５１上の電気長での対称位置に配置され、かつ第２線路部５１２ａ、５１２ｂが、副線路５１上の電気長での対称位置に配置され、かつ第３線路部５１３ａ、５１３ｂが、副線路５１上の電気長での対称位置に配置される。そのため、第１主線路２１、第２主線路３１および第３主線路４１からフォワードポートＦＷＤおよびリバースポートＲＥＶまでの電気的特性を、より正確に揃えることができる。その結果、順方向信号に対する方向性と逆方向信号に対する方向性とが両方とも向上した双方向性結合器１が得られる。
【００６４】
双方向性結合器１の構造的な特徴について説明を続ける。
【００６５】
図３は、双方向性結合器１の構造の一例を示す平面図である。図４Ａは、双方向性結合器１の構造の一例を示す断面図であり、図３のＩＶＡ−ＩＶＡ断面線を矢印の方向に見た断面に対応する。図４Ｂは、双方向性結合器１の構造の一例を示す断面図であり、図３のＩＶＢ−ＩＶＢ断面線を矢印の方向に見た断面に対応する。図３、図４Ａおよび図４Ｂでは、明確のため、構成要素ごとに異なる柄を付して示している。
【００６６】
図４Ａおよび図４Ｂに示されるように、双方向性結合器１は、基板１５の上方に形成され層間絶縁層１１、１２ａ、１２ｂ、１２ｃ、１３、１４でそれぞれ分離された第１層金属配線６１、第２層金属配線６２、第３層金属配線６３、および、第４層金属配線６４で構成されている。一例として、基板１５および層間絶縁層１１〜１４の積層体が多層基板１０に対応する。
【００６７】
第１層金属配線６１は層間絶縁層１２ａと同じ層に配置され、第２層金属配線６２は層間絶縁層１２ｂと同じ層に配置され、第３層金属配線６３は層間絶縁層１２ｃと同じ層に配置される。第４層金属配線６４は、層間絶縁層１３と層間絶縁層１４との界面に配置される。
【００６８】
副線路５１は、第１層金属配線６１、第２層金属配線６２、および第３層金属配線６３で形成される。第１主線路２１、第２主線路３１および第３主線路は、第４層金属配線６４で形成される。
【００６９】
一例として、基板１５は半導体基板（ウェハー）であってもよい。この場合、双方向性結合器１は、周知の半導体プロセスを用いて、半導体基板上に層間絶縁層を介在しながら複数の配線層を形成することにより作製される。
【００７０】
他の一例として、基板１５および層間絶縁層１１、１２ａ〜１２ｃ、１３、１４は、ＬＴＣＣ（低温同時焼成セラミックス）材料で構成された基材層であってもよい。この場合、双方向性結合器１は、金属配線となる導体ペーストを配置した複数のセラミックグリーンシートを重ねて一体化し、焼成することにより作製される。
【００７１】
さらに他の一例として、基板１５および層間絶縁層１１、１２ａ〜１２ｃ、１３、１４は、多層プリント配線基板の各層を構成する絶縁樹脂層であってもよい。この場合、双方向性結合器１は、金属配線としての配線パターンを配置した複数の絶縁樹脂層を積層し、ビア導体としてのスルーホールを設けてなる多層プリント配線基板として作製される。
【００７２】
図３に示されるように、副線路５１は、平面視して、第２主線路３１および第３主線路４１間の領域にて交差する立体交差部５７９を有している。具体的には、立体交差部５７９は、第２線路部５１２ａと第３線路部５１３ｂとの間、および、第２線路部５１２ｂと第３線路部５１３ａとの間にて交差している。
【００７３】
図４Ｃは、双方向性結合器１の構造の一例を示す断面図であり、図３のＩＶＣ−ＩＶＣ断面線を矢印の方向に見た断面に対応する。
【００７４】
図４Ｃに示されるように、立体交差部５７９では、第３線路部５１３ａから第２線路部５１２ｂに至る配線経路が、下側に位置する第１層金属配線６１によって構成され、第２線路部５１２ａから第３線路部５１３ｂに至る配線経路が、上側に位置する第３層金属配線６３によって構成されている。この配線経路により、立体交差部５７９において副線路５１が接触しない構造となっている。
【００７５】
図５は、双方向性結合器１の立体構造の一例を示す分解斜視図である。図５では、副線路５１の形状を分かりやすく示すために、層間絶縁層１２ａ〜１２ｃ、１３、１４を省略し、第１主線路２１、第２主線路３１および第３主線路４１を実際の位置より上方に描いている。
【００７６】
図５に示されるように、第１主線路２１および第２主線路３１は、第１主線路２１を内側に配し第２主線路３１を外側に配した、開き角が異なるＶ字の略入れ子形状に形成されている。第３主線路４１は、第２主線路３１から見て、第１主線路２１が位置する側の反対側に形成されている。第３主線路４１は、直線状であり、開き角が１８０°である。すなわち、各主線路の開き角は、第１主線路２１、第２主線路３１、第３主線路４１の順に大きくなっている。副線路５１は、１周の周回形状に形成されている。副線路５１は、フォワードポートＦＷＤから、第３主線路４１の一部、第２主線路３１の一部、第１主線路２１の一部、第２主線路３１の一部および第３主線路４１の一部に沿いながら周回して、リバースポートＲＥＶに至る。
【００７７】
図５に示されるように、双方向性結合器１では、副線路５１のフォワードポートＦＷＤから１／６周区間に第３主線路４１と略同一方向に延設された第３線路部５１３ａがあり、第３線路部５１３ａは第３主線路４１の入力ポートＩＮ３側の半分区間と結合する。また、副線路５１の次の１／６周区間に第２主線路３１と略同一方向に延設された第２線路部５１２ｂがあり、第２線路部５１２ｂは第２主線路３１の出力ポートＯＵＴ２側の半分区間と結合する。また、副線路５１の次の１／６周区間に第１主線路２１と略同一方向に延設された第１線路部５１１ｂがあり、第１線路部５１１ｂは第１主線路２１の出力ポートＯＵＴ１側の一部区間と結合する。
【００７８】
そして、副線路５１の次の１／６周区間に第１主線路２１と略同一方向に延設された第１線路部５１１ａがあり、第１線路部５１１ａは第１主線路２１の入力ポートＩＮ１側の一部区間と結合する。また、副線路５１の次の１／６周区間に第２主線路３１と略同一方向に延設された第２線路部５１２ａがあり、第２線路部５１２ａは第２主線路３１の入力ポートＩＮ２側の半分区間と結合する。また、副線路５１の残りの１／６周区間に第３主線路４１と略同一方向に延設された第３線路部５１３ｂがあり、第３線路部５１３ｂは第３主線路４１の出力ポートＯＵＴ３側の半分区間と結合する。
【００７９】
また、図３および図５に示されるように、多層基板１０上の直線Ｓを挟んだ第１領域と第２領域とにおいて、副線路５１は直線Ｓを対称軸として線対称の形状に設けられ、第１線路部５１１ａ、５１１ｂ、第２線路部５１２ａ、５１２ｂ、第３線路部５１３ａ、５１３ｂは、それぞれ前記線対称での対応位置にある。なお、以下において「副線路が線対称の形状に設けられている」とは、例えば、図３および図５に示すような立体交差部５７９を除いて副線路が線対称の形状に設けられている場合を含むものとする。
【００８０】
これにより、副線路５１の形状の対称性に基づいて、第１主線路２１、第２主線路３１および第３主線路４１からフォワードポートＦＷＤおよびリバースポートＲＥＶまでの電気的特性を、より正確に揃えることができる。その結果、順方向信号に対する方向性と逆方向信号に対する方向性とが、両方とも向上した双方向性結合器１が得られる。
【００８１】
（実施の形態２）
実施の形態２では、第１主線路、第２主線路、第３主線路および副線路の変形例について説明する。
【００８２】
図６は、双方向性結合器２の等価回路の一例を示す回路図である。
【００８３】
図６に示されるように、双方向性結合器２は、第１主線路２２、第２主線路３２、第３主線路４２および副線路５２を備える。
【００８４】
第１主線路２２の一方端および他方端は、入力ポートＩＮ１および出力ポートＯＵＴ１を構成し、第２主線路３２の一方端および他方端は、入力ポートＩＮ２および出力ポートＯＵＴ２を構成し、第３主線路４２の一方端および他方端は、入力ポートＩＮ３および出力ポートＯＵＴ３を構成している。副線路５２の一方端および他方端は、フォワードポートＦＷＤおよびリバースポートＲＥＶを構成している。
【００８５】
副線路５２は、第１主線路２２と結合する部分である１対の第１線路部５２１ａ、５２１ｂと、第２主線路３２と結合する部分である１対の第２線路部５２２ａ、５２２ｂと、第３主線路４２と結合する部分である１対の第３線路部５２３ａ、５２３ｂとを有する。
【００８６】
第１線路部５２１ａは、リバースポートＲＥＶとフォワードポートＦＷＤとの間に設けられ、第１線路部５２１ｂは、第１線路部５２１ａとフォワードポートＦＷＤとの間に設けられている。なお、以下において、第１線路部５２１ａおよび５２１ｂをまとめて第１線路部５２１と呼ぶ場合がある。
【００８７】
第２線路部５２２ａは、副線路５２の第１線路部５２１とリバースポートＲＥＶとの間に設けられ、第２線路部５２２ｂは、副線路５２の第１線路部５２１とフォワードポートＦＷＤとの間に設けられている。第３線路部５２３ａは、副線路５２の第２線路部５２２ｂとフォワードポートＦＷＤとの間に設けられ、第３線路部５２３ｂは、副線路５２の第２線路部５２２ａとリバースポートＲＥＶとの間に設けられている。
【００８８】
１対の第１線路部５２１ａ、５２１ｂは、第１主線路２２と略同一方向に延設され、１対の第２線路部５２２ａ、５２２ｂは、第２主線路３２と略同一方向に延設され、１対の第３線路部５２３ａ、５２３ｂは、第３主線路４２と略同一方向に延設される。
【００８９】
双方向性結合器２においても、副線路５２の第１主線路２２との結合部が１対の第１線路部５２１ａ、５２１ｂで構成され、当該結合部の両側に、副線路５２の第２主線路３２との結合部である第２線路部５２２ａ、５２２ｂを設けている。そのため、副線路５２上において、第１主線路２２との結合部（第１線路部５２１ａ、５２１ｂ）を中心として、第２主線路３２との結合部（第２線路部５２２ａ、５２２ｂ）を対称に配置することができる。
【００９０】
また、双方向性結合器２では、副線路５２の第２主線路３２との結合部が１対の第２線路部５２２ａ、５２２ｂで構成され、当該結合部の両側に、第３主線路４２との結合部である第３線路部５２３ａ、５２３ｂを設けている。そのため、副線路５２上において、第２主線路３２との結合部（第２線路部５２２ａ、５２２ｂ）を中心として、第３主線路４２との結合部（第３線路部５２３ａ、５２３ｂ）を対称に配置することができる。
【００９１】
結合部をこのように配置することで、第１主線路２２からフォワードポートＦＷＤおよびリバースポートＲＥＶまでの電気的特性を揃え、第２主線路３２からフォワードポートＦＷＤおよびリバースポートＲＥＶまでの電気的特性を揃え、また、第３主線路４２からフォワードポートＦＷＤおよびリバースポートＲＥＶまでの電気的特性を揃えることができる。
【００９２】
これにより、順方向信号に対応する第１のモニタ信号および逆方向信号に対応する第２のモニタ信号を、第１主線路２２、第２主線路３２および第３主線路４２からの電気的特性が揃ったフォワードポートＦＷＤおよびリバースポートＲＥＶからそれぞれ取り出すことが可能になる。その結果、第１主線路２２、第２主線路３２および第３主線路４２のいずれについても、順方向信号に対する方向性と逆方向信号に対する方向性とが両方とも改善された双方向性結合器２が得られる。
【００９３】
双方向性結合器２の構造的な特徴について説明を続ける。
【００９４】
図７は、双方向性結合器２の構造の一例を示す平面図である。図７の双方向性結合器２は、実施の形態１の双方向性結合器１と比べて、第１主線路２２の形状において相違する。
【００９５】
図７に示されるように、第１主線路２２および第２主線路３２は、第１主線路２２を内側に配し第２主線路３２を外側に配した、開き角が異なるＶ字の略入れ子形状に形成されている。具体的には、第１主線路２２が逆Ｖ字状となり、第１主線路２２の開口と第２主線路３２の開口とが向き合うように入れ子形状となっている。第３主線路４２は、第２主線路３２から見て、第１主線路２２が位置する側の反対側に形成されている。第３主線路４２は、直線状であり、開き角が１８０°である。副線路５２は、１周の周回形状に形成されている。副線路５２は、フォワードポートＦＷＤから、第３主線路４２の一部、第２主線路３２の一部、第１主線路２２の一部、第２主線路３２の一部および第３主線路４２の一部に沿いながら周回して、リバースポートＲＥＶに至る。副線路５２は、平面視して、第２主線路３２および第３主線路４２間の領域にて交差する立体交差部５７９を有している。
【００９６】
図７に示されるように、双方向性結合器２では、副線路５２のフォワードポートＦＷＤから１／６周区間に第３主線路４２と略同一方向に延設された第３線路部５２３ａがあり、第３線路部５２３ａは第３主線路４２の入力ポートＩＮ３側の半分区間と結合する。また、副線路５２の次の１／６周区間に第２主線路３２と略同一方向に延設された第２線路部５２２ｂがあり、第２線路部５２２ｂは第２主線路３２の出力ポートＯＵＴ２側の半分区間と結合する。また、副線路５２の次の１／６周区間に第１主線路２２と略同一方向に延設された第１線路部５２１ｂがあり、第１線路部５２１ｂは第１主線路２２の入力ポートＩＮ１側の一部区間と結合する。
【００９７】
そして、副線路５２の次の１／６周区間に第１主線路２２と略同一方向に延設された第１線路部５２１ａがあり、第１線路部５２１ａは第１主線路２２の出力ポートＯＵＴ１側の一部区間と結合する。また、副線路５２の次の１／６周区間に第２主線路３２と略同一方向に延設された第２線路部５２２ａがあり、第２線路部５２２ａは第２主線路３２の入力ポートＩＮ２側の半分区間と結合する。また、副線路５２の残りの１／６周区間に第３主線路４２と略同一方向に延設された第３線路部５２３ｂがあり、第３線路部５２３ｂは第３主線路４２の出力ポートＯＵＴ３側の半分区間と結合する。
【００９８】
また、図７に示されるように、多層基板１０上の直線Ｓを挟んだ第１領域と第２領域とにおいて、副線路５２は直線Ｓを対称軸として線対称の形状に設けられ、第１線路部５２１ａ、５２１ｂ、第２線路部５２２ａ、５２２ｂおよび第３線路部５２３ａ、５２３ｂは、前記線対称での対応位置にある。
【００９９】
これにより、副線路５２の形状の対称性に基づいて、第１主線路２２、第２主線路３２、第３主線路４２からフォワードポートＦＷＤおよびリバースポートＲＥＶまでの電気的特性を、より正確に揃えることができる。その結果、順方向信号に対する方向性と逆方向信号に対する方向性とが、両方とも向上した双方向性結合器２が得られる。
【０１００】
（実施の形態３）
実施の形態３では、第１主線路、第２主線路、第３主線路および副線路の変形例について説明する。
【０１０１】
図８は、双方向性結合器３の等価回路の一例を示す回路図である。
【０１０２】
図８に示されるように、双方向性結合器３は、第１主線路２３、第２主線路３３、第３主線路４３および副線路５３を備える。
【０１０３】
第１主線路２３の一方端および他方端は、入力ポートＩＮ１および出力ポートＯＵＴ１を構成し、第２主線路３３の一方端および他方端は、入力ポートＩＮ２および出力ポートＯＵＴ２を構成し、第３主線路４３の一方端および他方端は、入力ポートＩＮ３および出力ポートＯＵＴ３を構成している。副線路５３の一方端および他方端は、フォワードポートＦＷＤおよびリバースポートＲＥＶを構成している。
【０１０４】
副線路５３は、第１主線路２３と結合する部分である１対の第１線路部５３１ａ、５３１ｂと、第２主線路３３と結合する部分である１対の第２線路部５３２ａ、５３２ｂと、第３主線路４３と結合する部分である１対の第３線路部５３３ａ、５３３ｂとを有する。
【０１０５】
第１線路部５３１ａは、リバースポートＲＥＶとフォワードポートＦＷＤとの間に設けられ、第１線路部５３１ｂは、第１線路部５３１ａとフォワードポートＦＷＤとの間に設けられている。なお、以下において、第１線路部５３１ａおよび５３１ｂをまとめて第１線路部５３１と呼ぶ場合がある。
【０１０６】
第２線路部５３２ａは、副線路５３の第１線路部５３１とリバースポートＲＥＶとの間に設けられ、第２線路部５３２ｂは、副線路５３の第１線路部５３１とフォワードポートＦＷＤとの間に設けられている。第３線路部５３３ａは、副線路５３の第２線路部５３２ａとリバースポートＲＥＶとの間に設けられ、第３線路部５３３ｂは、副線路５３の第２線路部５３２ｂとフォワードポートＦＷＤとの間に設けられている。
【０１０７】
１対の第１線路部５３１ａ、５３１ｂは、第１主線路２３と略同一方向に延設され、１対の第２線路部５３２ａ、５３２ｂは、第２主線路３３と略同一方向に延設され、１対の第３線路部５３３ａ、５３３ｂは、第３主線路４３と略同一方向に延設される。
【０１０８】
双方向性結合器３でも、副線路５３の第１主線路２３との結合部が１対の第１線路部５３１ａ、５３１ｂで構成され、当該結合部の両側に、副線路５３の第２主線路３３との結合部である第２線路部５３２ａ、５３２ｂを設けている。そのため、副線路５３上において、第１主線路２３との結合部（第１線路部５３１ａ、５３１ｂ）を中心として、第２主線路３３との結合部（第２線路部５３２ａ、５３２ｂ）を対称に配置することができる。
【０１０９】
また、双方向性結合器３では、副線路５３の第２主線路３３との結合部が１対の第２線路部５３２ａ、５３２ｂで構成され、当該結合部の両側に、第３主線路４３との結合部である第３線路部５３３ａ、５３３ｂを設けている。そのため、副線路５３上において、第２主線路３３との結合部（第２線路部５３２ａ、５３２ｂ）を中心として、第３主線路４３との結合部（第３線路部５３３ａ、５３３ｂ）を対称に配置することができる。
【０１１０】
結合部をこのように配置することで、第１主線路２３からフォワードポートＦＷＤおよびリバースポートＲＥＶまでの電気的特性を揃え、第２主線路３３からフォワードポートＦＷＤおよびリバースポートＲＥＶまでの電気的特性を揃え、また、第３主線路４３からフォワードポートＦＷＤおよびリバースポートＲＥＶまでの電気的特性を揃えることができる。
【０１１１】
これにより、順方向信号に対応する第１のモニタ信号および逆方向信号に対応する第２のモニタ信号を、第１主線路２３、第２主線路３３および第３主線路４３からの電気的特性が揃ったフォワードポートＦＷＤおよびリバースポートＲＥＶからそれぞれ取り出すことが可能になる。その結果、第１主線路２３、第２主線路３３および第３主線路４３のいずれについても、順方向信号に対する方向性と逆方向信号に対する方向性とが両方とも改善された双方向性結合器３が得られる。
【０１１２】
双方向性結合器３の構造的な特徴について説明を続ける。
【０１１３】
図９は、双方向性結合器３の構造の一例を示す平面図である。図９の双方向性結合器３は、実施の形態１の双方向性結合器１と比べて、副線路５３の形状において相違する。
【０１１４】
図９に示されるように、第１主線路２３および第２主線路３３は、第１主線路２３を内側に配し第２主線路３３を外側に配した、開き角が異なるＶ字の略入れ子形状に形成されている。第３主線路４３は、第２主線路３３から見て、第１主線路２３が位置する側の反対側に形成されている。第３主線路４３は、直線状であり、開き角が１８０°である。すなわち、各主線路の開き角は、第１主線路２３、第２主線路３３、第３主線路４３の順に大きくなっている。副線路５３は、立体交差を有しない１周の周回形状に形成されている。副線路５３は、フォワードポートＦＷＤから、第３主線路４３の一部、第２主線路３３の一部、第１主線路２３の一部、第２主線路３３の一部および第３主線路４３の一部に沿いながら周回して、リバースポートＲＥＶに至る。
【０１１５】
図９に示されるように、双方向性結合器３では、副線路５３のフォワードポートＦＷＤから１／６周区間に第３主線路４３と略同一方向に延設された第３線路部５３３ｂがあり、第３線路部５３３ｂは第３主線路４３の入力ポートＩＮ３側の半分区間と結合する。また、副線路５３の次の１／６周区間に第２主線路３３と略同一方向に延設された第２線路部５３２ｂがあり、第２線路部５３２ｂは第２主線路３３の出力ポートＯＵＴ２側の半分区間と結合する。また、副線路５３の次の１／６周区間に第１主線路２３と略同一方向に延設された第１線路部５３１ｂがあり、第１線路部５３１ｂは第１主線路２３の出力ポートＯＵＴ１側の一部区間と結合する。
【０１１６】
そして、副線路５３の次の１／６周区間に第１主線路２３と略同一方向に延設された第１線路部５３１ａがあり、第１線路部５３１ａは第１主線路２３の入力ポートＩＮ１側の一部区間と結合する。また、副線路５３の次の１／６周区間に第２主線路３３と略同一方向に延設された第２線路部５３２ａがあり、第２線路部５３２ａは第２主線路３３の入力ポートＩＮ２側の半分区間と結合する。また、副線路５３の残りの１／６周区間に第３主線路４３と略同一方向に延設された第３線路部５３３ａがあり、第３線路部５３３ａは第３主線路４３の出力ポートＯＵＴ３側の半分区間と結合する。
【０１１７】
また、図９に示されるように、多層基板１０上の直線Ｓを挟んだ第１領域と第２領域とにおいて、副線路５３は直線Ｓを対称軸として線対称の形状に設けられ、第１線路部５３１ａ、５３１ｂ、第２線路部５３２ａ、５３２ｂおよび第３線路部５３３ａ、５３３ｂは、前記線対称での対応位置にある。
【０１１８】
これにより、副線路５３の形状の対称性に基づいて、第１主線路２３、第２主線路３３、第３主線路４３からフォワードポートＦＷＤおよびリバースポートＲＥＶまでの電気的特性を、より正確に揃えることができる。その結果、順方向信号に対する方向性と逆方向信号に対する方向性とが、両方とも向上した双方向性結合器３が得られる。
【０１１９】
（実施の形態４）
実施の形態４では、第１主線路、第２主線路、第３主線路および副線路の変形例について説明する。
【０１２０】
図１０は、双方向性結合器４の等価回路の一例を示す回路図である。
【０１２１】
図１０に示されるように、双方向性結合器４は、第１主線路２４、第２主線路３４、第３主線路４４および副線路５４を備える。
【０１２２】
第１主線路２４の一方端および他方端は、入力ポートＩＮ１および出力ポートＯＵＴ１を構成し、第２主線路３４の一方端および他方端は、入力ポートＩＮ２および出力ポートＯＵＴ２を構成し、第３主線路４４の一方端および他方端は、入力ポートＩＮ３および出力ポートＯＵＴ３を構成している。副線路５４の一方端および他方端は、フォワードポートＦＷＤおよびリバースポートＲＥＶを構成している。
【０１２３】
副線路５４は、第１主線路２４と結合する部分である１対の第１線路部５４１ａ、５４１ｂと、第２主線路３４と結合する部分である１対の第２線路部５４２ａ、５４２ｂと、第３主線路４４と結合する部分である１対の第３線路部５４３ａ、５４３ｂとを有する。
【０１２４】
第１線路部５４１ａは、リバースポートＲＥＶとフォワードポートＦＷＤとの間に設けられ、第１線路部５４１ｂは、第１線路部５４１ａとフォワードポートＦＷＤとの間に設けられている。なお、以下において、第１線路部５４１ａおよび５４１ｂをまとめて第１線路部５４１と呼ぶ場合がある。
【０１２５】
第２線路部５４２ａは、副線路５４の第１線路部５４１とリバースポートＲＥＶとの間に設けられ、第２線路部５４２ｂは、副線路５４の第１線路部５４１とフォワードポートＦＷＤとの間に設けられている。第３線路部５４３ａは、副線路５４の第２線路部５４２ａとリバースポートＲＥＶとの間に設けられ、第３線路部５４３ｂは、副線路５４の第２線路部５４２ｂとフォワードポートＦＷＤとの間に設けられている。
【０１２６】
１対の第１線路部５４１ａ、５４１ｂは、第１主線路２４と略同一方向に延設され、１対の第２線路部５４２ａ、５４２ｂは、第２主線路３４と略同一方向に延設され、１対の第３線路部５４３ａ、５４３ｂは、第３主線路４４と略同一方向に延設される。
【０１２７】
双方向性結合器４でも、副線路５４の第１主線路２４との結合部が１対の第１線路部５４１ａ、５４１ｂで構成され、当該結合部の両側に、副線路５４の第２主線路３４との結合部である第２線路部５４２ａ、５４２ｂを設けている。そのため、副線路５４上において、第１主線路２４との結合部（第１線路部５４１ａ、５４１ｂ）を中心として、第２主線路３４との結合部（第２線路部５４２ａ、５４２ｂ）を対称に配置することができる。
【０１２８】
また、双方向性結合器４では、副線路５４の第２主線路３４との結合部が１対の第２線路部５４２ａ、５４２ｂで構成され、当該結合部の両側に、第３主線路４４との結合部である第３線路部５４３ａ、５４３ｂを設けている。そのため、副線路５４上において、第２主線路３４との結合部（第２線路部５４２ａ、５４２ｂ）を中心として、第３主線路４４との結合部（第３線路部５４３ａ、５４３ｂ）を対称に配置することができる。
【０１２９】
結合部をこのように配置することで、第１主線路２４からフォワードポートＦＷＤおよびリバースポートＲＥＶまでの電気的特性を揃え、第２主線路３４からフォワードポートＦＷＤおよびリバースポートＲＥＶまでの電気的特性を揃え、また、第３主線路４４からフォワードポートＦＷＤおよびリバースポートＲＥＶまでの電気的特性を揃えることができる。
【０１３０】
これにより、順方向信号に対応する第１のモニタ信号および逆方向信号に対応する第２のモニタ信号を、第１主線路２４、第２主線路３４および第３主線路４４からの電気的特性が揃ったフォワードポートＦＷＤおよびリバースポートＲＥＶからそれぞれ取り出すことが可能になる。その結果、第１主線路２４、第２主線路３４および第３主線路４４のいずれについても、順方向信号に対する方向性と逆方向信号に対する方向性とが両方とも改善された双方向性結合器４が得られる。
【０１３１】
双方向性結合器４の構造的な特徴について説明を続ける。
【０１３２】
図１１は、双方向性結合器４の構造の一例を示す平面図である。図１１の双方向性結合器４は、実施の形態３の双方向性結合器３と比べて、第１主線路２４の形状において相違する。
【０１３３】
図１１に示されるように、第１主線路２４および第２主線路３４は、第１主線路２４を内側に配し第２主線路３４を外側に配した、開き角が異なるＶ字の略入れ子形状に形成されている。具体的には、第１主線路２４が逆Ｖ字状となり、第１主線路２４の開口と第２主線路３４の開口とが向き合うように入れ子形状となっている。第３主線路４４は、第２主線路３４から見て、第１主線路２４が位置する側の反対側に形成されている。第３主線路４４は、直線状であり、開き角が１８０°である。副線路５４は、立体交差を有しない１周の周回形状に形成されている。副線路５４は、フォワードポートＦＷＤから、第３主線路４４の一部、第２主線路３４の一部、第１主線路２４の一部、第２主線路３４の一部および第３主線路４４の一部に沿いながら周回して、リバースポートＲＥＶに至る。
【０１３４】
図１１に示されるように、双方向性結合器４では、副線路５４のフォワードポートＦＷＤから１／６周区間に第３主線路４４と略同一方向に延設された第３線路部５４３ｂがあり、第３線路部５４３ｂは第３主線路４４の入力ポートＩＮ３側の半分区間と結合する。また、副線路５４の次の１／６周区間に第２主線路３４と略同一方向に延設された第２線路部５４２ｂがあり、第２線路部５４２ｂは第２主線路３４の出力ポートＯＵＴ２側の半分区間と結合する。また、副線路５４の次の１／６周区間に第１主線路２４と略同一方向に延設された第１線路部５４１ｂがあり、第１線路部５４１ｂは第１主線路２４の入力ポートＩＮ１側の一部区間と結合する。
【０１３５】
そして、副線路５４の次の１／６周区間に第１主線路２４と略同一方向に延設された第１線路部５４１ａがあり、第１線路部５４１ａは第１主線路２４の出力ポートＯＵＴ１側の一部区間と結合する。また、第２主線路３４と略同一方向に延設された副線路５４の次の１／６周区間に第２線路部５４２ａがあり、第２線路部５４２ａは第２主線路３４の入力ポートＩＮ２側の半分区間と結合する。また、副線路５４の残りの１／６周区間に第３主線路４４と略同一方向に延設された第３線路部５４３ａがあり、第３線路部５４３ａは第３主線路４４の出力ポートＯＵＴ３側の半分区間と結合する。
【０１３６】
また、図１１に示されるように、多層基板１０上の直線Ｓを挟んだ第１領域と第２領域とにおいて、副線路５４は直線Ｓを対称軸として線対称の形状に設けられ、第１線路部５４１ａ、５４１ｂ、第２線路部５４２ａ、５４２ｂおよび第３線路部５４３ａ、５４３ｂは、前記線対称での対応位置にある。
【０１３７】
これにより、副線路５４の形状の対称性に基づいて、第１主線路２４、第２主線路３４、第３主線路４４からフォワードポートＦＷＤおよびリバースポートＲＥＶまでの電気的特性を、より正確に揃えることができる。その結果、順方向信号に対する方向性と逆方向信号に対する方向性とが、両方とも向上した双方向性結合器４が得られる。
【０１３８】
（実施の形態５）
実施の形態５では、副線路の変形例について説明する。
【０１３９】
図１２は、実施の形態５に係る双方向性結合器の構造の一例を示す平面図である。図１２の双方向性結合器５は、実施の形態３の双方向性結合器３と比べて、副線路５５の形状において相違する。以下では、実施の形態３と同一の構成要素には同一の符号を付して、適宜説明を省略する。
【０１４０】
図１２に示されるように、双方向性結合器５では、副線路５５の幅、つまり長手方向に交差する方向の寸法が、第１線路部５５１ａ、５５１ｂと第２線路部５５２ａ、５５２ｂと第３線路部５５３ａ、５５３ｂとで、少なくとも１つが異なる。図１２の例では、第２線路部５５２ａ、５５２ｂの幅は、第１線路部５５１ａ、５５１ｂの幅より大きい。また、第３線路部５５３ａ、５５３ｂの幅は、第２線路部５５２ａ、５５２ｂの幅より大きい。
【０１４１】
このように、副線路５５の幅を結合部ごとに設定することで、副線路５５の幅に応じて、副線路５５と第１主線路２５、第２主線路３５および第３主線路４５の各々との結合を最適化することができる。例えば、結合のための最適条件によっては、図１２の例とは逆に、第１線路部５５１ａ、５５１ｂの幅が、第２線路部５５２ａ、５５２ｂの幅より大きくてもよい。また、第２線路部５５２ａ、５５２ｂの幅が、第３線路部５５３ａ、５５３ｂの幅より大きくてもよい。
【０１４２】
（実施の形態６）
実施の形態６では、副線路の変形例について説明する。
【０１４３】
図１３は、実施の形態６に係る双方向性結合器の等価回路の一例を示す回路図である。図１３の双方向性結合器６は、図１の双方向性結合器１と比べて、副線路５６にインダクタＬが挿入される点で相違する。副線路５６の中点に直列にインダクタＬを挿入することにより、双方向性結合器６の方向性を向上することができる。
【０１４４】
インダクタＬは、例えば、配線パターンによって形成されてもよい。
【０１４５】
図１４は、双方向性結合器６の構造の一例を示す平面図である。図１４に示されるように、双方向性結合器６の副線路５６は、図１の双方向性結合器１の副線路５１に、第１線路部５６１ａ、５６１ｂ同士を接続するループ状の巻回部５６９を追加して構成される。
【０１４６】
巻回部５６９が、インダクタＬとして機能することにより、双方向性結合器６の方向性を向上することができる。
【０１４７】
（実施の形態７）
実施の形態７では、双方向性結合器を用いたモニタ回路について説明する。
【０１４８】
図１５は、実施の形態７に係るモニタ回路の一例を示す回路図である。図１５のモニタ回路７０は、双方向性結合器７１、スイッチ７２、７３、および終端器７４を有する。
【０１４９】
双方向性結合器７１には、実施の形態１〜６で説明した双方向性結合器１〜６のいずれかが用いられる。
【０１５０】
スイッチ７２、７３は、１対の単極双投のスイッチであり、制御信号（図示せず）に従って連動する。
【０１５１】
終端器７４は、制御信号（図示せず）に従って変更可能な可変複素インピーダンスであり、例えば、可変抵抗と可変インダクタとで構成される。
【０１５２】
このように構成されるモニタ回路７０によれば、フォワードポートＦＷＤから取り出されるモニタ信号およびリバースポートＲＥＶから取り出されるモニタ信号のうち所望の一方をスイッチ７２、７３で選択し、終端器７４によって適した終端を施して、モニタ信号ＭＯＮとして出力することができる。
【０１５３】
（実施の形態８）
実施の形態８では、実施の形態７に係るモニタ回路を用いた通信装置について、異なる３つの周波数帯域を用いて送受信動作を行うことができるトリプルバンド対応の通信装置の例で説明する。
【０１５４】
図１６は、実施の形態８に係る通信装置１００の機能的な構成の一例を示すブロック図である。図１６に示されるように、通信装置１００は、ベースバンド信号処理回路１１０、ＲＦ信号処理回路１２０、およびフロントエンド回路１３０を備える。通信装置１００は、アンテナ２０１、２０２、２０３を用いて、トリプルバンドでの送受信動作を行う。
【０１５５】
ベースバンド信号処理回路１１０は、音声通話や画像表示などを行う応用装置／応用ソフトウェアで生成された送信データを送信信号に変換し、ＲＦ信号処理回路１２０へ供給する。当該変換は、データの圧縮、多重化、誤り訂正符号の付加を含んでもよい。また、ＲＦ信号処理回路１２０から受信した受信信号を受信データに変換し、応用装置／応用ソフトウェアへ供給する。当該変換は、データの伸長、多重分離、誤り訂正を含んでもよい。ベースバンド信号処理回路１１０は、ベースバンド集積回路（ＢＢＩＣ）チップで構成されてもよい。
【０１５６】
ＲＦ信号処理回路１２０は、ベースバンド信号処理回路１１０で生成された送信信号を周波数帯域ごとの送信ＲＦ信号Ｔｘ１、Ｔｘ２、Ｔｘ３に変換し、フロントエンド回路１３０へ供給する。当該変換は、信号の変調およびアップコンバートを含んでもよい。また、ＲＦ信号処理回路１２０は、フロントエンド回路１３０から受信した周波数帯域ごとの受信ＲＦ信号Ｒｘ１、Ｒｘ２、Ｒｘ３を受信信号に変換し、ベースバンド信号処理回路１１０へ供給する。ＲＦ信号処理回路１２０は、高周波集積回路（ＲＦＩＣ）チップで構成されてもよい。
【０１５７】
フロントエンド回路１３０は、パワーアンプ回路１３１ａ、１３１ｂ、１３１ｃ、ローノイズアンプ回路１３２ａ、１３２ｂ、１３２ｃ、モニタ回路１３３、デュプレクサ１３４ａ、１３４ｂ、１３４ｃおよびコントローラ１３６を有する。各デュプレクサ１３４ａ〜１３４ｃは、周波数帯域ごとのフィルタで構成されている。モニタ回路１３３は、デュプレクサ１３４ａ〜１３４ｃおよびアンテナ端子ＡＮＴ１、ＡＮＴ２、ＡＮＴ３に接続されている。
【０１５８】
各パワーアンプ回路１３１ａ〜１３１ｃは、ＲＦ信号処理回路１２０で生成された周波数帯域ごとの送信ＲＦ信号Ｔｘ１、Ｔｘ２、Ｔｘ３を増幅し、デュプレクサ１３４ａ〜１３４ｃを介してモニタ回路１３３へ供給する。パワーアンプ回路１３１ａ〜１３１ｃにおける増幅ゲインおよび整合インピーダンスは可変であり、コントローラ１３６からの制御に応じて調整される。
【０１５９】
各デュプレクサ１３４ａ〜１３４ｃは、各パワーアンプ回路１３１ａ〜１３１ｃから受信した周波数帯域ごとの送信ＲＦ信号Ｔｘ１、Ｔｘ２、Ｔｘ３を送信アンテナ信号Ｔｘに合成して、モニタ回路１３３の各ポートＩＮ１、ＩＮ２、ＩＮ３に供給する。
【０１６０】
モニタ回路１３３は、送信アンテナ信号Ｔｘを、各ポートＯＵＴ１、ＯＵＴ２、ＯＵＴ３から各アンテナ端子ＡＮＴ１、ＡＮＴ２、ＡＮＴ３を介して各アンテナ２０１、２０２、２０３へ伝搬するとともに、送信アンテナ信号Ｔｘの強度および送信アンテナ信号Ｔｘのアンテナ２０１、２０２、２０３からの反射波の強度を表すモニタ信号ＭＯＮを出力する。
【０１６１】
モニタ回路１３３は、各アンテナ２０１、２０２、２０３からの受信アンテナ信号Ｒｘを、各アンテナ端子ＡＮＴ１、ＡＮＴ２、ＡＮＴ３を介して各ポートＯＵＴ１、ＯＵＴ２、ＯＵＴ３で受信し、各ポートＩＮ１、ＩＮ２、ＩＮ３から各デュプレクサ１３４ａ〜１３４ｃへ伝搬する。
【０１６２】
モニタ回路１３３には、実施の形態７のモニタ回路７０が用いられる。
【０１６３】
各デュプレクサ１３４ａ〜１３４ｃは、受信アンテナ信号Ｒｘから周波数帯域ごとの受信ＲＦ信号Ｒｘ１、Ｒｘ２、Ｒｘ３を分離して、ローノイズアンプ回路１３２ａ〜１３２ｃへ供給する。
【０１６４】
各ローノイズアンプ回路１３２ａ〜１３２ｃは、各デュプレクサ１３４ａ〜１３４ｃから受信した周波数帯域ごとの受信ＲＦ信号Ｒｘ１、Ｒｘ２、Ｒｘ３を増幅し、ＲＦ信号処理回路１２０へ供給する。
【０１６５】
コントローラ１３６は、モニタ回路１３３から受信されたモニタ信号ＭＯＮに基づいてパワーアンプ回路１３１ａ〜１３１ｃの増幅ゲインおよび整合インピーダンスを制御することにより、送信電力のフィードバック制御、およびアンテナ２０１、２０２、２０３のマッチング調整を行う。
【０１６６】
フロントエンド回路１３０は、パワーアンプ回路１３１ａ〜１３１ｃ、ローノイズアンプ回路１３２ａ〜１３２ｃ、モニタ回路１３３、デュプレクサ１３４ａ〜１３４ｃおよびコントローラ１３６を搭載した高周波モジュールで構成されてもよい。なお、コントローラ１３６は、フロントエンド回路１３０ではなく、ＲＦ信号処理回路１２０に含まれてもよい。
【０１６７】
通信装置１００では、モニタ回路１３３に、順方向信号（送信信号）に対する方向性と逆方向信号（反射波）に対する方向性とがどちらも良好な双方向性結合器を用いるので、送信電力のフィードバック制御およびアンテナのマッチング調整を含む各種の制御を高い精度で行う、高性能な通信装置を構成できる。
【０１６８】
以上、本発明の実施の形態に係る双方向性結合器、モニタ回路およびフロントエンド回路について説明したが、本発明は、個々の実施の形態には限定されない。本発明の趣旨を逸脱しない限り、当業者が思いつく各種変形を本実施の形態に施したものや、異なる実施の形態における構成要素を組み合わせて構築される形態も、本発明の一つ又は複数の態様の範囲内に含まれてもよい。
【０１６９】
例えば、実施の形態２の双方向性結合器２において、第１線路部５２１ａ、５２１ｂが２本の線路でなく、図１７に示すように、一本の第１線路部５２１によって構成されていてもよい。他の実施の形態１および実施の形態１〜６についても同様である。
【産業上の利用可能性】
【０１７０】
本発明は、双方向性結合器および双方向性結合器を用いた通信装置に広く利用できる。
【符号の説明】
【０１７１】
１〜６  双方向性結合器
９  方向性結合器
１０  多層基板
１１〜１４  層間絶縁層
１５  基板
２１〜２６、９１  第１主線路
３１〜３６、９２  第２主線路
４１〜４６  第３主線路
５１〜５６、９５  副線路
６１  第１層金属配線
６２  第２層金属配線
６３  第３層金属配線
６４  第４層金属配線
７０、１３３  モニタ回路
７１  双方向性結合器
７２、７３  スイッチ
７４  終端器
９３  第１副線路
９４  第２副線路
９６  グランド
１００  通信装置
１１０  ベースバンド信号処理回路
１２０  ＲＦ信号処理回路
１３０  フロントエンド回路
１３１ａ、１３１ｂ、１３１ｃ  パワーアンプ回路
１３２ａ、１３２ｂ、１３２ｃ  ローノイズアンプ回路
１３４ａ、１３４ｂ、１３４ｃ  デュプレクサ
１３６  コントローラ
２０１、２０２、２０３  アンテナ
５１１、５１１ａ、５１１ｂ、５２１、５２１ａ、５２１ｂ、５３１、５３１ａ、５３１ｂ、５４１、５４１ａ、５４１ｂ、５５１ａ、５５１ｂ、５６１ａ、５６１ｂ  第１線路部
５１２ａ、５１２ｂ、５２２ａ、５２２ｂ、５３２ａ、５３２ｂ、５４２ａ、５４２ｂ、５５２ａ、５５２ｂ、５６２ａ、５６２ｂ  第２線路部
５１３ａ、５１３ｂ、５２３ａ、５２３ｂ、５３３ａ、５３３ｂ、５４３ａ、５４３ｂ、５５３ａ、５５３ｂ、５６３ａ、５６３ｂ  第３線路部
５６９  巻回部
５７９  立体交差部
【図１】
2018207473.tif 000003
【図２】
2018207473.tif 000004
【図３】
2018207473.tif 000005
【図４Ａ】
2018207473.tif 000006
【図４Ｂ】
2018207473.tif 000007
【図４Ｃ】
2018207473.tif 000008
【図５】
2018207473.tif 000009
【図６】
2018207473.tif 000010
【図７】
2018207473.tif 000011
【図８】
2018207473.tif 000012
【図９】
2018207473.tif 000013
【図１０】
2018207473.tif 000014
【図１１】
2018207473.tif 000015
【図１２】
2018207473.tif 000016
【図１３】
2018207473.tif 000017
【図１４】
2018207473.tif 000018
【図１５】
2018207473.tif 000019
【図１６】
2018207473.tif 000020
【図１７】
2018207473.tif 000021
【図１８】
2018207473.tif 000022
【図１９】
2018207473.tif 000023